(57)【要約】      （修正有）【課題】多用途組合せユニットにおいて、変化が多く、多様な組み合わせができるようにすること目的とする。【解決手段】複数のブロックユニット１０、２０等と複数の連結ユニット１１０を有する。ブロックユニットは、複数の側面１１、１１ａ等を有し、各側面１１、１１ａ等に窪んだ複数のタップ穴１３等が形成してある。連結ユニット１１０は、合わせた二つのブロックユニットの相対したタップ穴１３ｂ等に止められる。連結ユニットによって、ブロックユニットが相互に連結されて、様々な使用機能に応じて、組合せや変化が可能になって、家具、文房具、玩具が作られる。連結ユニット１１０を外すことによって、ブロックユニットは簡単に取り外される。【選択図】図１
0003150892.tif 000002
【実用新案登録請求の範囲】
【請求項１】
複数の側面（１１、１２）を有して多面体をなす複数のブロックユニット（１０）と、二つのブロックユニット（１０、２０）をつなげるための複数の連結ユニット（１１０）とを有する多用途組合せユニットであって、
各ブロックユニット（１０）は、一つの側面（１１）に内向きに窪んだタップ穴（１３）を有し、該一つの側面（１１）と反対側に位置する面（１１ａ）に内向きに窪んだタップ穴（１３）を有し、
該タップ穴（１３）は、一つの側面に、その両側の縁の間に、所定の間隔距離（Ｄ）をあけて、且つ、二つのブロックユニットが合わされた場合の一のブロックユニット（１０）の一つの側面（１１）のタップ穴（１３）と別のブロックユニット（２０）の上記一のブロックユニット（１０）の一つの側面（１１）と並ぶ側面（２１）のタップ穴（２３）との間が上記所定の間隔距離（Ｄ）と同じ間隔距離（Ｄ）となるように形成してあり、
各連結ユニット（１１０）は、円棒状であり、第１端部（１１１）と、軸線に沿って該第１端部（１１１）とは反対側に設けられた第２端部（１１２）と、該第１、第２端部（１１１、１１２）の間にある中間部（１１３）と、該中間部（１１３）の片側にあり、該第１端部（１１１）に対応する第１ネジ山部（１１４）と、該中間部（１１３）の他方側にあり、該第２端部（１１２）に対応する第２ネジ山部（１１５）とを有し、
該第１ネジ山部（１１４）と第２ネジ山部（１１５）は、ネジ山の切り方向が反対の方向であり、夫々、二つのブロックユニット（１０、２０）を合わせた場合に相対するタップ穴（１３、２３）にねじ込まれ、
該第１端部（１１１）から該第２端部（１１２）までの長さ（Ｌ１１０）は、前記の所定の間隔距離（Ｄ）より短い、多用途組合せユニット。
【請求項２】
該ブロックユニットは、
長方形柱体ブロックユニット（１０、２０）、アーチ形板ブロックユニット（３０）、楕円形板ブロックユニット（４０）、正方形ブロックユニット（５０）、三角形ブロックユニット（６０）、三角形複合アーチ形ブロックユニット（７０）、Ｔ形ブロックユニット（８０）、Ｌ形ブロックユニット（９０）、短円柱体ブロックユニット（１００）、Ｌ形複合アーチ形ブロックユニット（２００）からなるグループである、請求項１に記載の多用途組合せユニット。
【請求項３】
該ブロックユニットの一つの側面（１１）の内向きに窪んだタップ穴（１３）と、これと反対側に位置する側面（１１ａ）の内向きに窪んだタップ穴（１３ａ）は、同じ軸線に整列しており、つながっている、請求項１に記載の多用途組合せユニット。
【請求項４】
該ブロックユニット（１０）は、
直角をなす二つの面（１１、１１ｂ）を有し、
この二つの面の夫々は、窪んだタップ穴（１３ｂ）を有し、
一つの面（１１）のタップ穴（１３）と別の面（１１ｂ）のタップ穴（１３ｂ）とは、直角をなしてつながっている、請求項１に記載の多用途組合せユニット。
【請求項５】
該連結ユニット（１１０）は、
該第１、第２端部（１１１、１１２）に、軸線に沿う窪んだ六角形操作孔（１１６）を有する、請求項４に記載の多用途組合せユニット。
【請求項６】
該連結ユニット（１１０）を操作するための操作工具（１４０）を更に有する、請求項５に記載の多用途組合せユニット。
【請求項７】
該ブロックユニットは、複数のルーレット（１２０）を更に有し、
該ルーレット（１２０）は、
第１端面（１２１）と、該第１端面（１２１）と反対側の第２端面（１２２）と、該第１端面（１２１）から該第２端面（１２２）まで貫通した複数のタップ穴（１２３）とを有し、
該ブロックユニットが、該連結ユニット（１１０）によって、該ルーレット（１２０）と連結される、請求項２に記載の多用途組合せユニット。
【請求項８】
滑らかな外周面を有し、回しながらタップ穴（１２３）に挿入される複数の軸棒（１３０）を更に有する、請求項７に記載の多用途組合せユニット。
【考案の詳細な説明】
【技術分野】
【０００１】
本考案は組合せユニットに係り、特に、組み合わせによって作られた多用途組合せユニットに関する。  
【背景技術】
【０００２】
一般の積み木部品は、使用者の工夫によって、様々な玩具や文房具の形になる。
【０００３】
従来は、これらの積み木部品は通常、ほぞ継ぎと嵌め穴だけで組み合わせてある。
【考案の概要】
【考案が解決しようとする課題】
【０００４】
このため、積み木部品間の結合強度が高くなく、強い支持力がないので、使える用途も限られていた。
【０００５】
そして、従来の積み木は、組み合わせの方向が一定の方向に限定されているので、角度の変化を利用して行われる組合せ方もなく、変化に乏しかった。  
本考案は、前記課題を解決した、多用途組合せユニットを提供することを目的とする。
【課題を解決するための手段】
【０００６】
本考案は、複数の側面（１１、１２）を有して多面体をなす複数のブロックユニット（１０）と、二つのブロックユニット（１０、２０）をつなげるための複数の連結ユニット（１１０）とを有する多用途組合せユニットであって、
各ブロックユニット（１０）は、一つの側面（１１）に内向きに窪んだタップ穴（１３）を有し、該一つの側面（１１）と反対側に位置する面（１１ａ）に内向きに窪んだタップ穴（１３）を有し、
該タップ穴（１３）は、一つの側面に、その両側の縁の間に、所定の間隔距離（Ｄ）をあけて、且つ、二つのブロックユニットが合わされた場合の一のブロックユニット（１０）の一つの側面（１１）のタップ穴（１３）と別のブロックユニット（２０）の上記一のブロックユニット（１０）の一つの側面（１１）と並ぶ側面（２１）のタップ穴（２３）との間が上記所定の間隔距離（Ｄ）と同じ間隔距離（Ｄ）となるように形成してあり、
各連結ユニット（１１０）は、円棒状であり、第１端部（１１１）と、軸線に沿って該第１端部（１１１）とは反対側に設けられた第２端部（１１２）と、該第１、第２端部（１１１、１１２）の間にある中間部（１１３）と、該中間部（１１３）の片側にあり、該第１端部（１１１）に対応する第１ネジ山部（１１４）と、該中間部（１１３）の他方側にあり、該第２端部（１１２）に対応する第２ネジ山部（１１５）とを有し、
該第１ネジ山部（１１４）と第２ネジ山部（１１５）は、ネジ山の切り方向が反対の方向であり、夫々、二つのブロックユニット（１０、２０）を合わせた場合に相対するタップ穴（１３、２３）にねじ込まれ、
該第１端部（１１１）から該第２端部（１１２）までの長さ（Ｌ１１０）は、前記の所定の間隔距離（Ｄ）より短い、構成である。
【考案の効果】
【０００７】
本考案は、ブロックユニットの側面にタップ穴があり、それが、連結ユニット及び軸棒の嵌入に用いられ、そして、ブロックユニットを組み合わせて、変化が多く、多様な組み合わせを達成することができるといる効果を奏する。
【図面の簡単な説明】
【０００８】
【図１】本考案の実施例１になる多用途組合せユニットの分解斜視図である。
【図２】本考案のルーレットの斜視図である。
【図３】ブロックユニットを組み合せて作られた机を示す図である。
【図４】ブロックユニットを組み合せて作られた椅子を示す図である。
【図５】ブロックユニットを組み合せて作られた玩具を示す図である。
【図６】ブロックユニットとルーレットを組み合せて作られた可動車を示す図である。
【図７】連結ユニットでブロックユニットを連結した状態を拡大して示す図である。
【図８】本考案のＬ形複合アーチ形ブロックの第１１ブロックユニットの斜視図である。
【図９】ブロックユニットを組み合せて作られたアーチ形ロングベンチを示す図である。
【図１０】ブロックユニットを組み合せて作られたマントヒヒを示す図である。
【図１１】ブロックユニットを組み合せて作られた魚を示す図である。
【考案を実施するための形態】
【０００９】
以下、本考案の実施の形態について説明する。以下の実施例は説明用に限られ、本考案になる多用途組合せユニットはこれらの構造に制限されない。
【実施例１】
【００１０】
図１は本考案の実施例１になる多用途組合せユニットを構成する複数のブロックユニット１０、２０、３０、４０、５０、６０、７０、８０、９０、１００を並べて、連結ユニット１１０及び操作工具１４０と併せて示す斜視図である。
【００１１】
多用途組合せユニットは、複数の長方形柱体の第１ブロックユニット１０、複数の短方形柱体の第２ブロックユニット２０、複数のアーチ形板ブロックの第３ブロックユニット３０、複数の楕円形板ブロックの第４ブロックユニット４０、複数の正方形ブロックの第５ブロックユニット５０、複数の三角形ブロックの第６ブロックユニット６０、複数の三角形複合アーチ形ブロックの第７ブロックユニット７０、複数のＴ形ブロックの第８ブロックユニット８０、複数のＬ形ブロックの第９ブロックユニット９０、複数の短円柱体の第１０ブロックユニット１００、複数の連結ユニット１１０、複数のルーレット１２０（図２参照）、ルーレット１２０内に設けられた複数の軸棒１３０、及び該連結ユニット１１０を操作するための操作工具１４０を備えている。
【００１２】
第１ブロックユニット１０は、それぞれが直角につながる第１長側面１１を４つ（１１、１１ａ、１１ｂ、１１ｃ）有し、且つ、第１長側面１１の両側に方形側面１２を二つ（１２、１２ａ）有する。第１長側面１１には、それぞれ間隔距離をおいて設けられたタップ穴１３が５つ形成してある。同じ第１長側面１１の隣接した二つのタップ穴１３の相対した縁側の間は、間隔距離Ｄである。方形側面１２、１２ａの上にもタップ穴１３ｄ（他の一つは図示せず）が一つ形成してある。
【００１３】
図７に示すように、一つの第１長側面１１の窪んだタップ穴１３とこれとは反対側の第１長側面１１ａの窪んだタップ穴１３ａは、同じ軸線に整列して、つながっている。別の一つの第１長側面１１ｂの窪んだタップ穴１３ｂとこれとは反対側の第１長側面１１ｃの窪んだタップ穴１３ｃは、同じ軸線に整列して、つながっている。
【００１４】
同じく図７に示すように、隣り合う直角をなす二つの第１長側面１１、１１ｂの夫々の窪んだタップ穴１３、１３ｂは、直角をなしてつながっている。直角をなす第１長側面１１と方形側面１２の夫々の窪んだタップ穴１３、１３ｄは直角をなしてつながっている。
【００１５】
第２ブロックユニット２０は、それぞれが直角につながっている第２長側面２１を４つ（２１、２１ａ、２１ｂ、２１ｃ）有し、且つ、第２長側面２１の両側に方形側面２２を二つ（２２、２２ａ）有する。第２長側面２１には、それぞれ間隔距離をおいて設けられたタップ穴２３が三つ形成してある。同じ第２長側面２１の隣接した二つのタップ穴２３の相対した縁側の間は、間隔距離Ｄである。互いに反対側に位置する二つの方形側面２１にある窪んだタップ穴２３、２３ａ（２３ｂ、２３ｃ）、は、同じ軸線に整列して、つながっており、第２長側面２１のタップ穴２３と方形側面２２にある窪んだタップ穴２３ｄの間は、直角をなしてつながっている（図７参照）。  
第３ブロックユニット３０は、互いに反対側に位置して、平行に設けられたアーチ形側面３１が二つあり、各アーチ形側面３１の上には、それぞれ間隔距離をおいて設けられたタップ穴３２が三つ形成してある。同じアーチ形側面３１の隣接した二つのタップ穴３２の相対した縁側の間は、間隔距離Ｄである。各アーチ形側面３１のタップ穴３２は、同じ軸線に整列してつながっている。  
第４ブロックユニット４０は、互いに反対側に位置して、平行に設けられた楕円形側面４１が二つあり、各楕円形側面４１の上には、それぞれ間隔設置をおいて設けられたタップ穴４２が三つ形成してある。同じ楕円形側面４１の隣接した二つのタップ穴４２の相対した縁側の間は、間隔距離Ｄである。各楕円形側面４１のタップ穴４２は、同じ軸線に整列しており、つながっている。
【００１６】
４０Ｂは変形例の第４ブロックユニットであり、二つのタップ穴を有する（図９、図１０、図１１参照）。
【００１７】
第５ブロックユニット５０は、それぞれが直角につながっている短側面５１が６つあり、各短側面５１にはそれぞれ一つのタップ穴５２が形成してある。反対側に位置する二つの短側面５１の夫々の窪んだタップ穴５２は、同じ軸線に整列してつながっている。直角につながっている二つの短側面５１の夫々の窪んだタップ穴５２は、直角につながっている。
【００１８】
第５ブロックユニット５０とその他のブロックユニットが相互に並んでいるとき、並列になる一の側面のタップ穴と別の側面のタップ穴の相対した縁側の間は、間隔距離Ｄとなる。  
第６ブロックユニット６０は、それぞれつながっている斜側面６１が三つあり、それぞれ反対側に配置されて、斜側面６１の両側に存在する三角形部側面６２が二つある。斜側面６１はそれぞれタップ穴６３が一つあり、三角形部側面６２の上にも、それぞれタップ穴６３が一つある。
【００１９】
第７ブロックユニット７０は、三角形部７１が一つ、この三角形部７１と一体に連結したアーチ形部７２が一つある形状である。三角形部７１は、勾配角度６０度である斜側面７３が二つあり、ここにタップ穴７５が一つずつある。三角形部７１の互いに反対側であって斜側面７３の両側に、三角形部側面７４があり、ここにタップ穴７５が一つずつある。アーチ形部７２にも、タップ穴７５がある、三角形部側面７４のタップ穴７５とアーチ形部７２のタップ穴７５との間隔距離はＤである。
【００２０】
第８ブロックユニット８０は、平らな形の平側面８１が一つ、該平側面８１と反対した側に設けられ、その中間に突出した階段側面８２が一つ、該平側面８１と階段側面８２の間にある環側面８３が一つあり、該平側面８１、階段側面８２にそれぞれ同じ間隔をおいて設けられたタップ穴８４が三つあり、隣接した二タップ穴８４の相対した對縁側の間に形成された間隔距離は、上述の間隔距離Ｄと同じであり、該環側面８３にも、中間に対応するためのタップ穴８４が一つあり、反対側に設けられた平側面８１と階段側面８２にある窪んだタップ穴８４は、同じ軸線に整列しており、つながっており、直角につながっている環側面８３の窪んだタップ穴８４とは、直角につながっている。  
第９ブロックユニット９０は、一つの方形部９１と一つのアーチ形部９２とを有する。方形部９１は、相互に直角となってつながっている方形側面９３が６つあり、アーチ形９２と隣接した方形側面９３は、夫々一つのタップ穴９４を有する。アーチ形部９２は、互いに反対側に平行に配されたアーチ形側面９５が二つあり、各アーチ形側面９５は一つのタップ穴９４を有し、各タップ穴９４はつながっている。  
第１０ブロックユニット１００は、互いに反対側に平行に配された円形側面１０１が二つあり、各円形側面１０１の中央には、それぞれつながっているタップ穴１０２が一つある。
【００２１】
図７に併せて示すように、連結ユニット１１０は、円棒状で、第１端部１１１が一つ、軸線Ｌに沿って、第１端部１１１と反対の側にある第２端部１１２が一つ、第１、第２端部１１１、１１２の間ある中間部１１３が一つ、中間部１１３の片側にあり、第１端部１１１に対応するための第１ネジ山部１１４が一つ、中間部１１３の他方側にあり、第２端部１１２に対応するための第２ネジ山部１１５が一つ、及びそれぞれ該軸線Ｌに沿って、該第１、第２端部１１１、１１２にある窪んだ六角形操作孔１１６が二つある構成である。
【００２２】
第１、第２ネジ山部１１４、１１５は、ネジ山の切り方向が反対の方向であり、夫々が合わせた二つのブロックユニットの相対したタップ穴に止められ、第１端部１１１から第２端部１１２までの長さＬ１１０は、前記の間隔距離Ｄより短い。  
図２はルーレット１２０を示す。ルーレット１２０は、第１端面１２１が一つ、第１端面１２１と反対側にある第２端面１２２が一つ、第１端面１２１から該第２端面１２２までつながるタップ穴１２３が複数ある構成である。前記のブロックユニットは、連結ユニット１１０によってルーレット１２０の上に連結される。
【００２３】
軸棒１３０は、回しながら、ルーレット１２０のタップ穴１２３に挿入され、そして、回しながらブロックユニットのタップ穴に挿入される。
【００２４】
図１に示すように、操作工具１４０は、Ｌ形または棒形六角レンチであり、連結ユニット１１０の六角形操作孔１１６に挿入されている。
【００２５】
図１及び図２に示すように、ブロックユニットを用いて、ニーズに応じて、様々な組合せ物品が作られる。
【００２６】
図３は作られた机１５０を示す。連結ユニット１１０を用いて複数の第１ブロックユニット１０と第５ブロックユニット５０とを連結することによって、机の枠１５１が形成してある。複数の第４ブロックユニット４０を組み合わせて、机の枠の補強部分１５２が形成してある。机枠１５１の内側には上部が開放された置き入れ空間Ｉとなっており、この容置空間Ｉに板体（図示せず）を置けば、机面として用いられる。更に、連結ユニット１１０を用いて複数の第１ブロックユニット１０と第８ブロックユニット８０を連結して四本の机足１５３が形成してある。
【００２７】
収納、運搬または包装のとき、連結ユニット１１０の操作し易い特性を利用して、机足１５３が机板の底部から簡単に取り外され、想像線で表すように机枠１５１の横側に固定される。
【００２８】
図７は二つのブロックユニット１０、２０が連結ユニット１１０によって連結されている状態を拡大して示す。連結ユニット１１０の第１、第２ネジ山部１１４、１１５のネジ山の切り方が互いに反対の方向であるので、例えば、連結ユニット１１０の第１端部１１１の第１ネジ山部１１４をブロックユニット１０のタップ穴１３ｂに少しねじ込み、別のブロックユニット２０のタップ穴２３ｃを第２端部１１１の第２ネジ山部１１５に少しねじ込んだ状態とし、操作工具１４０をブロックユニット２０のタップ穴２３ｂ（タップ穴２３ｃと整列している）から差し込んで六角形操作孔１１６に嵌合させて所定の方向に回転させる。この操作によって、連結ユニット１１０の第１、第２ネジ山部１１４、１１５が夫々タップ穴１３ｂ、２３ｃにねじ込まれ、ブロックユニット１０とブロックユニット２０とが互いに接近して図７に示すように第１長側面１１ｂと第２長側面２１ｃとが合わされ密着して連結される。操作工具１４０を上記とは逆方向に回転させると、連結ユニット１１０の第１、第２ネジ山部１１４、１１５が夫々タップ穴１３ｂ、２３ｃから抜け出すようになりブロックユニット１０とブロックユニット２０とは互いに離れて、分かれて分離される。よって、二つのブロックユニット１０、２０を連結する作業及び連結している二つのブロックユニット１０、２０を切り離す作業は、操作性良くなされる。このことは、同じブロックユニット同士、別の組み合わせのブロックユニット間についても言える。
【００２９】
図４は実用性のある椅子１６０を示す。連結ユニット１１０を用いて、複数の第１ブロックユニット１０、第２ブロックユニット２０、第５ブロックユニット５０を組合せて、座面１６１が作られている。また、連結ユニット１１０を用いて、複数の第２ブロックユニット１０を組合せて、四本の椅子足１６２が作られている。また、連結ユニット１１０を用いて、複数の第１ブロックユニット１０と第５ブロックユニット５０を組合せて、椅子の背もたれ１６３が作られている。更に、連結ユニット１１０を用いて、複数の第五ブロックユニット５０を補強部材１６４として、座面１６１と椅子足１６２のつなぎに用いている。  
図５は作られた風車の玩具１７０を示す。連結ユニット１１０を用いて、複数の第１ブロックユニット１０、第２ブロックユニット２０、第４ブロックユニット４０、第６ブロックユニット６０、第７ブロックユニット７０、第９ブロックユニット９０と第１０ブロックユニット１００が組み合されている。  
図６は作られた可動車の玩具１８０を示す。連結ユニット１１０を用いて、複数の第１ブロックユニット１０、第２ブロックユニット２０、第６ブロックユニット６０、第７ブロックユニット７０、第８ブロックユニット８０を組合せて、車枠１８１が作られている。複数のルーレット１２０は、軸棒１３０で、平行に設けられた二つの第１ブロックユニット１０のタップ穴１３に止めてある。
【００３０】
図８は第１１ブロックユニット２００を示す。第１１ブロックユニット２００は、Ｌ形複合アーチ形ブロックであり、方形部２０１が一つあり、この方形部２０１に一体連結されて互いに反対側に設けられた一つの縦向きアーチ形部２０２と一つの横向きアーチ形部２０３を有する。
【００３１】
方形部２０１は、相互に直角につながっている方形側面２０４を６つ有する。
【００３２】
縦向きアーチ形部２０２及び横向きアーチ形部２０３と連結していない方形側面２０４には、それぞれタップ穴２０５が一つある。縦向き、横向きアーチ形部２０２、２０３はいずれも、互いに反対側にあって平行に設けられたアーチ形側面２０６、  ２０７を二つ有する。各アーチ形側面２０６、２０７にも、それぞれつながっているタップ穴２０５が一つ形成してある。  
図９は作られたアーチ形ロングベンチ２１０を示す。連結ユニット１１０を用いて複数の第２ブロックユニット２０、第４ブロックユニット４０、第５ブロックユニット５０、第８ブロックユニット８０、第９ブロックユニット９０、第１１ブロックユニット２００、タップ穴が二つの第４ブロックユニット４０Ｂを組み合わせて、角度変化のあるアーチ形棚２１１が作られている。また、両側の第２ブロックユニット２０と、両側の第２ブロックユニット２０の間に設けた同じ外径の複数の桿体３００とにより、アーチ形ロングベンチ２１２が形成してある。
【００３３】
図１０は作られたマントヒヒ模型玩具２２０であり、両手両足が地面に着くようになっている。連結ユニット１１０を用いて複数の第７ブロックユニット７０、第８ブロックユニット８０、第９ブロックユニット９０、第１１ブロックユニット２００、タップ穴が二つの第４ブロックユニット４０Ｂが組合せてある。マントヒヒ模型玩具２２０は、全体として第１１ブロックユニット２００の多様な角度変化によって、腕部や身体部の外観を多様に変化できる組み合せ効果がある。
【００３４】
図１１は作られた魚類形体２３０であり、ひれ及び尾を有する。連結ユニット１１０を用いて複数の第４ブロックユニット４０、第７ブロックユニット７０、第１１ブロックユニット２００、タップ穴が二つの第４ブロックユニット４０Ｂが組み合わせてある。魚類形体２３０は、第１１ブロックユニット２００によって、曲がった体に豊かなカーブの変化があり、魚の体から尾まで流線形となり、そして、第１１ブロックユニット２００の組み合わせによって、より実物近い形となっている。
【００３５】
本考案は、机、椅子、玩具のほかに、使用者のアイデアによって、立体的な動物、建築物、文房具などに作られる。取り外しの場合には、操作工具１４０を使用して連結ユニット１１０を回せばブロックユニットが取り外されるので、机、椅子、玩具等は簡単で安全に作られる。
【００３６】
本考案は、次のような効果を有する。
１．ブロックユニットの側面にタップ穴があり、それが、連結ユニット１１０及び軸棒１３０の嵌入に用いられ、そして、ブロックユニットを組み合わせて、変化が多く、多様な組み合わせが達成される。
２．様々な形のブロックユニットを組み合わせて、どんな角度からも組み合わせることができ、変化に富んだ組み合わせができる。
３．連結ユニット１１０をしっかりと固定する前に、いろんな角度に調整可能であり、一定の位置に調整した後で固定することで、様々な角度が実現可能、組合せの変化が豊かになる。
【００３７】
なお、上述の内容は、本考案の好適な実施例のみに関するものであり、それを以って、本考案の実施の範囲を制限してはならず、また、本考案の実用新案登録請求の範囲及び考案の説明に基づいて、その改造や修正を行って同等な効果を得たとしても、それらの改造や修正はすべて本考案の実用新案登録請求の範囲に含まれるものである。
【符号の説明】
【００３８】
１０    第１ブロックユニット      
１１、１１ａ、１１ｂ、１１ｃ    第１長側面
１２、１２ａ    方形側面      
１３、１３ａ、１３ｂ、１３ｃ    タップ穴
２０    第２ブロックユニット        
２１、２１ａ、２１ｂ、２１ｃ    第２長側面
２２、２２ａ    方形側面      
２３、２３ａ、２３ｂ、２３ｃ    タップ穴
３０    第３ブロックユニット        
３１    アーチ形側面
３２    タップ穴
４０    第４ブロックユニット        
４０Ｂ  第４ブロックユニット
４１    楕円形側面      
４２    タップ穴
５０    第５ブロックユニット        
５１    短側面
５２    タップ穴
６０    第６ブロックユニット        
６１    斜側面
６２    三角形部側面
７０    第７ブロックユニット        
７１    三角形部
７２    アーチ形部          
７３    斜側面
７４    三角形部側面    
７５    タップ穴
８０    第８ブロックユニット        
８１    平側面
８２    階段側面        
８３    環側面
８４    タップ穴
９０    第９ブロックユニット        
９１    方形部
９２    アーチ形部          
９３    方形側面
９４    タップ穴            
９５    アーチ形側面
１００  第１０ブロックユニット        
１０１  円形側面
１０２  タップ穴            
１１０  連結ユニット          
１１１  第１端部
１１２  第２端部        
１１３  中間部
１１４  第１ネジ山部      
１１５  第２ネジ山部
１１６  六角形操作孔
１２０  ルーレット          
１２１  第１端面
１２２  第２端面        
１２３  タップ穴
１３０  軸棒
１４０  操作工具
１５０  机
１５１  机の枠
１５２  補強部分
１５３  机足
１６０  椅子
１６１  座面
１６２  背もたれ
１６４  補強部材
１７０  風車の玩具
１８０  可動車の玩具
２００  第１１ブロックユニット      
２０１  方形部
２０２  縱向アーチ形部      
２０３  横向アーチ形部
２０４  方形側面        
２０５  タップ穴
２０６  アーチ形側面        
２０７  アーチ形側面
２１０  アーチ形ロングベンチ
２２０  マントヒヒ模型玩具
２３０  魚類形体
３００  桿体
【図１】
0003150892.tif 000003
【図２】
0003150892.tif 000004
【図３】
0003150892.tif 000005
【図４】
0003150892.tif 000006
【図５】
0003150892.tif 000007
【図６】
0003150892.tif 000008
【図７】
0003150892.tif 000009
【図８】
0003150892.tif 000010
【図９】
0003150892.tif 000011
【図１０】
0003150892.tif 000012
【図１１】
0003150892.tif 000013